(57)【要約】【課題】可燃性冷媒を冷凍サイクルに用いた冷蔵庫の照明装置における可燃性冷媒の庫内漏洩時の安全性を高める。【解決手段】内箱１４に直付けしたソケット２４には、ランプ２７に設けられた差込式端子ピン２８に接続可能な端子部２９を有し、ランプ２７は、この端子部２９に接続することにより取り付けられているため、接点部の緩みによる点灯時のスパークの発生を防止し、着火源をなくすことができ、冷凍サイクルに可燃性冷媒を用いた冷蔵庫１３においても、万が一可燃性冷媒が庫内に漏れていた場合、不安全になることを防止することができる。【選択図】図２
2006010161.tif 000002
【特許請求の範囲】
【請求項１】
冷凍サイクルに可燃性冷媒を用い、内箱と外箱間に発泡断熱材を充填した冷蔵庫の庫内に備える照明装置において、前記照明装置は差込式端子を有するランプとソケットからなり、前記ソケットは発泡断熱材充填前に内箱に設けた穴の発泡断熱材側から挿入し接続部を庫内側に突出するとともに、前記接続部にランプの差込式端子を差込んで接続固定したことを特徴とする冷蔵庫。
【請求項２】
ソケットには内箱に設けた穴より大きいヒレ部を有し、前記ヒレを発泡断熱材側の内箱に接して設け、発泡断熱材充填時の庫内への漏れを防止したことを特徴とする請求項１に記載の冷蔵庫。
【請求項３】
ランプの差込式端子を覆う端子カバーを有し、前記端子カバーの一端には爪を形成し、前記ランプの差込式端子をソケットの接続部に挿入した際、前記端子カバーの爪でランプとソケットが係止されることを特徴とする請求項１または２に記載の冷蔵庫。
【請求項４】
ソケットの発泡断熱材側には接続部からのリード線を通す通路を有し、前記通路の出口部は内箱取付面と平行に形成したことを特徴とする請求項１から３のいずれか一項に記載の冷蔵庫。
【請求項５】
ランプの差込式端子を覆う端子カバーと爪とは薄肉部を介して一体に成形したことを特徴とする請求項３または４に記載の冷蔵庫。
【発明の詳細な説明】
【技術分野】
【０００１】
本発明は、可燃性冷媒を使用した冷蔵庫の庫内の照明装置に関するものである。
【背景技術】
【０００２】
近年、冷蔵庫の冷媒には、地球温暖化防止という観点から、従来使われて来たＲ１３４ａなどの不燃性冷媒から、地球温暖化係数（ＧＷＰ）の低い炭化水素系冷媒が用いられて来ている。
【０００３】
従来、Ｒ１３４ａなどの不燃性冷媒を使用した冷蔵庫の照明装置は、ランプとソケット本体が螺合し固定されている。製造時の部品の取り付けや冷蔵庫設置後の部品交換時は、ランプの口金を回転させながらソケット本体に取り付けるものである（例えば、特許文献１参照）。
【０００４】
図３は、特許文献１に記載された従来の冷蔵庫の照明装置の要部断面図である。図３に示すように、従来の技術は、断熱壁1で区画形成された冷蔵庫の庫内２において、ソケット３の取り付け穴４の端子部５，６に口金７を螺合し固定されるランプ８と、コネクタ９と結合する端子部１０，１１と、コネクタ９に接続されたリード線１２から構成されている。
【０００５】
以上のような構成により、製造時の部品取り付けや冷蔵庫設置後の部品交換時は、ランプ８の口金７を回転させながらソケット３に取り付けるものである。
【特許文献１】特開平６−１４７７４８号公報
【発明の開示】
【発明が解決しようとする課題】
【０００６】
しかしながら、上記従来の構成では、炭化水素系冷媒など可燃性冷媒を冷凍サイクルに用いた場合、冷蔵庫の照明装置において、ランプとソケット本体が螺合し固定されているものであるため、使用時に螺合部が緩み、ランプ点灯時にスパークが発生し、万が一可燃性冷媒が庫内に漏れていた場合、不安全になるという問題を有している。
【０００７】
本発明は、上記従来の課題を解決するもので、可燃性冷媒を使用した冷蔵庫の照明装置において、安全性を図ると共に、構成する部品を少なくすることにより、材料費や取り付け作業の工数を減らすと共に、ランプの交換を容易に行うことができる冷蔵庫を提供することを目的とする。
【課題を解決するための手段】
【０００８】
上記従来の課題を解決するために、本発明の冷蔵庫は、冷凍サイクルに可燃性冷媒を用い、内箱と外箱間に発泡断熱材を充填した冷蔵庫の庫内に備える照明装置において、前記照明装置は差込式端子を有するランプとソケットからなり、前記ソケットは発泡断熱材充填前に内箱に設けた穴の発泡断熱材側から挿入し接続部を庫内側に突出するとともに、前記接続部にランプの差込式端子を差込んで接続固定したものである。
【０００９】
これによって、端子接続部の緩みによる点灯時のスパークの発生を防止することができる。また、内箱に直接ソケットを設けているので、端子接続部のリード線に手が触れない構成をとることができる。
【発明の効果】
【００１０】
本発明の冷蔵庫は、庫内照明装置の接続部の緩みによる点灯時のスパークの発生を防止することができ、万が一可燃性冷媒が庫内に漏れていた場合、不安全になることを防止することができる。また、ランプの取り付け構造が簡単なものとなり、材料費や取り付け作業の工数を減らすことができる。また、ランプを交換する時においても、ランプを抜き差しするだけで交換でき、交換を容易に行うことができる。さらに、内箱に直接ソケットを設けているので、リード線に手が触れない構成をとることができ、安全性を高めるためのチューブなどの部品を減らし、材料費や取り付け作業の工数を減らすことができる。
【発明を実施するための最良の形態】
【００１１】
請求項１に記載の発明は、冷凍サイクルに可燃性冷媒を用い、内箱と外箱間に発泡断熱材を充填した冷蔵庫の庫内に備える照明装置において、前記照明装置は差込式端子を有するランプとソケットからなり、前記ソケットは発泡断熱材充填前に内箱に設けた穴の発泡断熱材側から挿入し接続部を庫内側に突出するとともに、前記接続部にランプの差込式端子を差込んで接続固定したことにより、庫内照明装置の接続部の緩みによる点灯時のスパークの発生を防止することができ、万が一可燃性冷媒が庫内に漏れていた場合、不安全になることを防止することができる。また、ランプの取り付け構造が簡単なものとなり、材料費や取り付け作業の工数を減らすことができる。また、ランプを交換する時においても、ランプを抜き差しするだけで交換でき、交換を容易に行うことができる。さらに、内箱に直接ソケットを設けているので、リード線に手が触れない構成をとることができ、安全性を高めるためのチューブなどの部品を減らし、材料費や取り付け作業の工数を減らすことができる。
【００１２】
請求項２に記載の発明は、請求項１に記載の発明において、ソケットには内箱に設けた穴より大きいヒレ部を有し、前記ヒレを発泡断熱材側の内箱に接して設け、発泡断熱材充填時の庫内への漏れを防止したものであり、発泡断熱材充填時の内箱の穴より庫内に漏れる発泡断熱材を抑えることができる。
【００１３】
請求項３記載の発明は、請求項１または２に記載の発明において、ランプの差込式端子を覆う端子カバーを有し、前記端子カバーの一端には爪を形成し、前記ランプの差込式端子をソケットの接続部に挿入した際、前記端子カバーの爪でランプとソケットが係止されるものであり、ランプをソケットに挿入するときの挿入位置を規定することができ、確実な取り付けを可能にすることができる。また、取り付けた後の使用時の外れ防止することができる。
【００１４】
請求項４記載の発明は、請求項１から３のいずれか一項に記載の発明において、ソケットの発泡断熱材側には接続部からのリード線を通す通路を有し、前記通路の出口部は内箱取付面と平行に形成したものであり、冷蔵庫内の冷熱をリード線を介して、外箱に伝えることを防止でき、外箱表面の発汗を防止することができる。
【００１５】
請求項５記載の発明は、請求項３または４に記載の発明において、ランプの差込式端子を覆う端子カバーと爪とは薄肉部を介して一体に成形したものであり、端子カバーの爪とソケットの一端に形成した爪かかり部の係止および解除が薄肉部の弾性作用を用いて容易に可能となり、取付、取り外しの作業性がさらに向上する。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫の正面図である。
【００１８】
図１において、冷蔵庫本体１３は、樹脂製の内箱１４と鋼鈑製の外箱１５の間に発泡断熱材１６を充填し、断熱箱体を形成し、上部に冷蔵室１７、中央部に野菜室１８、下部に冷凍室１９を有している。冷蔵室１７の背面内箱１４には、照明装置２０が取り付けられており、その照明装置２０の前面には、透光性の照明カバー２１を設けている。また、冷蔵室１７の前面には回転式の冷蔵室扉２２を有し、冷蔵室扉２２の開閉動作を検知して、照明装置２０の点灯、消灯を制御する扉スイッチ２３を冷蔵室１７庫内の内箱１４に埋め込まれている。また、冷蔵庫本体１３を冷却する冷媒として、可燃性冷媒であるイソブタンを封入している。
【００１９】
図２は本発明の実施の形態１における照明装置の側面断面図である。
【００２０】
図２において、ソケット２４は冷蔵室１７庫内背面の内箱１４に設けられた穴２５の、発泡断熱材１６側より挿入し、接続部２６を冷蔵室１７庫内側に突出している。また、ソケット２４には、ランプ２７に設けられた差込式端子ピン２８に接続可能な端子部２９を有し、ランプ２７は、この端子部２９に接続することにより取り付けられている。
【００２１】
また、ソケット２４には、内箱１４に設けた穴２５より大きいヒレ部３０を有し、ヒレ部３０を発泡断熱材側の内箱１４に接して固定している。
【００２２】
また、ランプ２７の差込式端子ピン２８を覆う端子カバー３５を有し、端子カバー３５の一端には爪３１を形成し、端子カバー３５と爪３１とは薄肉部３６を介して一体に成形している。そして、ランプ２７の差込式端子ピン２８をソケット２４の接続部２６に挿入した際、端子カバー３５の爪３１がソケット２４の一端に形成した爪かかり部３２に係止され、ランプ２７とソケット２４が固定される。
【００２３】
また、ソケット２４の発泡断熱材側には接続部２６からのリード線３３を通す通路３７を有し、通路３７の出口部３４は内箱取付面と平行に形成している。
【００２４】
以上のように構成された冷蔵庫について、以下その動作、作用を説明する。
【００２５】
冷蔵庫１３運転時、冷凍サイクルの動作により、冷蔵室１７、野菜室１８、冷凍室１９は、所定の温度に冷却される。そして、使用者が食品を取り出すため冷蔵室扉２２を開くと扉スイッチ２３の動作により、照明装置２０を点灯する。
【００２６】
ここで、ソケット２４には、ランプ２７に設けられた差込式端子ピン２８に接続可能な端子部２９を有し、ランプ２７は、この端子部２９に接続することにより取り付けられているため、接点部の緩みによる点灯時のスパークの発生を防止し、着火源をなくすことができ、冷凍サイクルに可燃性冷媒を用いた冷蔵庫１３においても、万が一可燃性冷媒が庫内に漏れていた場合、不安全になることを防止することができる。
【００２７】
また、ランプ２７の取り付けが差込式で簡単なものとなり、材料費や取り付け作業の工数を減らすことができる。また、ランプ２７を交換する時においても、ランプを抜き差しするだけで交換でき、交換を容易に行うことができる。さらに、内箱から直接ソケット２４を出すことにより、リード線３３に手が触れない構成をとることができ、感電などの防止をすることできる。
【００２８】
また、ソケット２４には、内箱１４に設けた穴２５より大きなヒレ部３０を発泡断熱材１６側に設けているため、製造時の発泡断熱材充填時、内箱１４の穴２５より庫内に発泡断熱材１６が漏れるのを防止することができる。
【００２９】
また、ランプ２７の差込式端子ピン２８を覆う端子カバー３５を有し、端子カバー３５の一端には爪３１を形成し、端子カバー３５と爪３１とは薄肉部３６を介して一体に成形している。そして、ランプ２７の差込式端子ピン２８をソケット２４の接続部２６に挿入した際、端子カバー３５の爪３１がソケット２４の一端に形成した爪かかり部３２に係止され、ランプ２７とソケット２４が固定されるので、ランプをソケットに挿入するときの挿入位置を規定することができ、確実な取り付けを可能にすることができる。また、取り付けた後の使用時の外れ防止することができる。
【００３０】
また、また、ソケット２４の発泡断熱材側には接続部２６からのリード線３３を通す通路３７を有し、通路３７の出口部３４は内箱取付面と平行に形成しているので、冷蔵庫内の冷熱をリード線を介して、外箱に伝えることを防止でき、外箱表面の発汗を防止することができる。
【００３１】
また、端子カバー３５と爪３１とは薄肉部３６を介して一体に成形しているので、端子カバー３５の爪３１とソケット２４の一端に形成した爪かかり部３２の係止および解除が薄肉部の弾性作用を用いて容易に可能となり、取付、取り外しの作業性がさらに向上する。
【産業上の利用可能性】
【００３２】
以上のように、本発明にかかる冷蔵庫は、可燃性冷媒を使用した環境下におけるランプ取り付け構造の安全性を確保することが可能であり、可燃性冷媒を使用した冷凍機器の照明装置等の用途にも適用できる。
【図面の簡単な説明】
【００３３】
【図１】本発明の実施の形態１における冷蔵庫の正面図
【図２】本発明の実施の形態１における照明装置の側面断面図
【図３】従来の冷蔵庫の照明装置の要部断面図
【符号の説明】
【００３４】
１３    冷蔵庫
１４    内箱
１５    外箱
１６    発泡断熱材
２０    照明装置
２４    ソケット
２５    穴
２６    接続部
２７    ランプ
２８    差込式端子ピン
３０    ヒレ部
３１    爪
３３    リード線
３４    出口部
３５    端子カバー
３６    薄肉部
【図１】
2006010161.tif 000003
【図２】
2006010161.tif 000004
【図３】
2006010161.tif 000005